(57)【特許請求の範囲】
【請求項１】
体温データを計測する体温計測手段と、前記体温計測手段により計測された体温データを液晶表示部の一部の点滅信号として出力する無線出力手段とを備え、使用される環境温度の下限が１０℃である電子体温計において、前記液晶表示部のドットの点滅速度が環境温度によって変化する電子体温計と、
１０℃から２０℃の該環境温度で、ドット点滅の最大周波数を８Ｈｚとし、２０℃以上の該環境温度でのドット点滅の最大周波数を１６Ｈｚとし、
該ドット点滅を行なうドットは２つで構成され、該１つのドットに対して該もう一方のドットを１／２周期遅らせてデータを転送することを特徴とする電子体温計。
【請求項２】
請求項１記載の電子体温計の無線出力手段によって出力される体温データを読み取る体温データ読み取り装置において、前記無線出力手段の液晶表示部の一部の点滅速度に応じて、読み取り時間を変化させることを特徴とする体温データ読み取り装置。
【請求項３】
読み取り中に、前記液晶表示部の一部の点滅速度が変化する場合には、該変化以後に読みとった点滅信号を有効な体温データとする請求項２に記載の体温データ読み取り装置。
【発明の詳細な説明】
【０００１】
【発明の属する技術分野】
本発明は、計測された体温データを転送する電子体温計と前記電子体温計から転送された体温データを読みとる読み取り装置に関するものである。
【０００２】
【従来の技術】
病院などでは、入院中の患者は予め定められた時間に検温を行い、その検温した結果を看護スタッフが収集して集計している。この際、看護スタッフは患者のベッドの位置まで出向き、患者に配布された体温計から計測値を目視で読み取り、その結果をノート等に記入することにより行っていたが、このような手作業による計測体温値の集計作業の負担を軽減するために、特開平９−８９６７７号では、電子体温計で計測された温度（体温）データを液晶表示器の一部（ドット）を一定の点滅速度で点滅させることでシリアルデータとして無線転送し、この無線転送される温度データを読み取り装置で読み取り、集計作業を行うことが考えられている。しかも、温度データを液晶表示器に複数のドットを設けて転送することで、データの転送を、１つのドットの場合より短時間で行うことが考えられている。
【０００３】
しかしながら、看護スタッフ一人当たりの患者数の増大に伴い看護スタッフの業務負担が増大している現在、更に、少しでも、早く体温データを取り込み、短時間で多くの体温データ収集を行うことが望まれている。
【０００４】
しかも、電子体温計のドットを設けられる液晶表示器のスペースには設計上の限度があることから、特開平９−８９６７７号に従って、ドットの数を増やすことのみで、温度データの転送速度を上げるには限度がある。
【０００５】
また、従来、このように液晶表示器の一部（ドット）の点滅によるデータの転送を行うには、転送速度は点滅速度に依存するが、この点滅速度は液晶表示器の温度（体温計のさらされている環境の温度）に依存するため、低い環境温度のもとでも点滅信号の転送を行うことができるように、点滅速度が遅く固定されている。
【０００６】
【発明が解決しようとする課題】
本発明は上記従来例に鑑みてなされたもので、電子体温計により計測された体温（温度）データを液晶表示部の一部（ドット）の点滅信号として読み取り装置に転送する場合に、この点滅の速度を環境温度に応じて変化させる（可変とする）ことで、通常気温が２０℃以上に調整されている病院の室内や腋下の体温測定（通常、体温計自体２０℃以上となっている）では、高速で体温データを転送することができる電子体温計とその転送された体温データの読み取り装置を提供することを目的とする。
【０００７】
上記目的は、体温データを計測する体温計測手段と、前記体温計測手段により計測された体温データを液晶表示部の一部の点滅信号として出力する無線出力手段とを備え、使用される環境温度の下限が１０℃である電子体温計において、液晶表示部のドットの点滅速度が環境温度によって変化する電子体温計と、１０℃から２０℃の環境温度で、ドット点滅の最大周波数を８Ｈｚとし、２０℃以上の環境温度でのドット点滅の最大周波数を１６Ｈｚとし、ドット点滅を行なうドットは２つで構成され、該１つのドットに対して該もう一方のドットを１／２周期遅らせてデータを転送することを特徴とする電子体温計により達成される。また、電子体温計の無線出力手段によって出力される体温データを読み取る体温データ読み取り装置において、無線出力手段の液晶表示部の一部の点滅速度に応じて、読み取り時間を変化させることを特徴とする体温データ読み取り装置によって達成される。また、読み取り中に、液晶表示部の一部の点滅速度が変化する場合には、変化以後に読みとった点滅信号を有効な体温データとする体温データ読み取り装置より達成される。
【００１４】
【発明の実施の形態】
以下、添付図面を参照して本発明の好適な実施の形態を詳細に説明する。
【００１５】
図１は、本実施の形態の電子体温計の構成を示すブロック図である。
【００１６】
図１において、破線で囲まれた部分１０は、例えば１チップのマイクロコンピュータとして組み込まれている。このコンピュータ１０には、図に示すように、製造時に測温パラメータ４８等の固有データ等が書き込まれているワンタイムＲＯＭ１２、この電子体温計の体温の予測プログラム３２を格納する演算用ＲＯＭ１４、液晶表示器２８に表示される最小分解能よりも高い分解能で予測体温データを演算記憶できる演算用領域１７を有する演算用ＲＡＭ１６、演算用ＲＯＭ１４に記憶された予測プログラム３２に従って体温計測を制御するＣＰＵ１８等が含まれている。
【００１７】
ここで、ワンタイムＲＯＭ１２に記憶されている測温パラメータ４８としては、予測演算に使用する多くの係数パラメータや、体温値のピークホールド条件、測定時間の条件、電子音の発音の条件や終了条件などのパラメータなどが含まれている。そして、これらの測温パラメータ４８は、その体温計測の用途（鼓膜用、
腋下用、口中用、直腸用等、小児用、一般用、婦人用等）などの用途識別データによって異なる値に設定される。このように、ワンタイムＲＯＭ１２に、用途識別データ（或は機器識別データ）に応じて最適な測温パラメータ４８を書き込むことにより、１つの電子体温計のハードウェアを用いて、いくつもの用途に応じた電子体温計を製造することができる。
【００１８】
２０は電源スイッチで、この電子体温計の電源を投入するのに使用され、このスイッチ２０としては被検者により操作されるスイッチボタンであっても、或は特別な磁界の中で動作するリードスイッチのようなものでも良い。２２は電池で、この電子体温計に駆動用電力を供給している。２４はブザーで、測温の終了やエ
ラー等を報知するのに使用される。２６は温度センサで、例えばサーミスタ等で構成されている。２８は液晶表示器で、測温した温度値やエラー表示等を行うのに使用されるとともに、後述する読み取り装置７２への測温データの送信にも使用される。４２は転送部で、本実施の形態では、液晶表示器２８のドット５６及び５８（図３参照）を点滅させて、読み取り装置７２に、計測した温度データをシリアルで転送している。
【００１９】
以上の構成により、電源スイッチ２０がオンされることにより電源が投入されると、電池２２より電力が、液晶表示器２８の表示やＣＰＵ１８による動作処理等のために供給される。温度センサ２６により体温が検知されると、ＣＰＵ１８は、この計測された温度値に基づいて、予測プログラム３２に基づいて被検者の体温の予測を行って、その予測した温度値を液晶表示器２８に表示する。
【００２０】
また、この電子体温計は後述する読み取り装置７２にセットされると、その液晶表示器２８のドットを点滅させることにより、その測定した温度データを読み取り装置７２に光信号として送出する。これにより、読み取り装置７２は、オペレータが介在することなく、その電子体温計で測定された温度データを自動的に入力することができる。
【００２１】
図２は、本実施の形態の電子体温計の体温の検知（検温）から体温データの表示、転送（無線出力）までの処理を示すフローチャートで、この処理を実行する制御プログラムは演算用ＲＯＭ１４に記憶され、ＣＰＵ１８の制御の下に実行される。
【００２２】
まずステップＳ１で、温度センサ２６により測定された検温情報を読み取り、ステップＳ２で、この読み取った検温情報を基に、予測プログラム３２を実行して体温の予測演算を行う。このときの予測演算は、演算用ＲＯＭ１４に格納された予測プログラム３２と、製造時に予めワンタイムＲＯＭ１２に書き込まれた測温パラメータ４８を用いて行う。
【００２３】
こうして予測演算が終了するとステップＳ３に進み、計測結果の予測体温データに基づく体温値を液晶表示器３８に表示する。次にステップＳ４に進み、その予測計測した結果の予測体温データを、転送部４２を介して読み取装置７２に転送する。この転送処理に関しては、詳しく後述する。
【００２４】
なお、本実施の形態の電子体温計は、予測式電子体温計に関するものとして説明したが、本発明はこれに限定されるものでなく、本発明の電子体温計としては、予測或は実測のいずれの方式で、体温を測定する電子体温計にも、ボロメータ等を用いた、被検体に非接触で体温を測定する赤外線センサを用いた鼓膜温度計にも適用できる。また本実施の形態では、予測プログラムが演算用ＲＯＭ１４に記憶されているが、測温パラメータ４８と同様に、例えばワンタイムＲＯＭ１２に記憶されていても良い。
【００２５】
図３は、本実施の形態の電子体温計５２の概観斜視図である。
【００２６】
図示した様に、この電子体温計５２は、実測或は予測した体温データ等を表示するための液晶表示器２８を備えている。５４は温度センサ２６を内蔵している先端チップである。この液晶表示器２８に表示される体温データは、計測した結果を示す体温データに基づいているが、読み取り装置７２に転送する際には、ドット５６又は５８の点滅によって、この液晶表示器２８に表示される計測値の最小分解能より高い（細かい）分解能を持たせることができる。
【００２７】
例えば、図３のように、表示されている体温値が小数点以下１桁までの表示値（３７．０℃）で、表示可能な最小分解能が“０．１℃”である場合、転送される体温データの分解能を、更に１桁分増やした分解能（例えば０．０１℃）とすることができる。
【００２８】
図４は、本実施の形態の電子体温計より読み取り装置７２に測温データを転送する時のドット５６及び５８における点滅動作のタイミングチャートを示したものである。
【００２９】
図４において、転送ビットＡは液晶表示器２８のドット５６を点滅させて送信されるシリアルビットデータを示し、転送ビットＢは液晶表示器２８のドット５８を点滅させて伝送されるシリアルビットデータを示している。ここでは、スタート(START)ビットの後に７ビットのデータが続いている。ここで、この７ビットデータは、例えば３２℃を“０”として、温度値を“０．１℃”刻みで表した温度値を表している。例えば“３７．７℃”の場合は、“３２．０”との差を求めて、７ビットデータは“５７(=377-320)”となる。また前述のように、更に分解能を高くして“０．０１℃”とする場合は、“３７．７”は“５７０”で表され、より多くのビット数が必要となるので、例えば連続する２つの７ビットデータにより、１つの温度値を表すようにしても良い。
【００３０】
また、本実施の形態では、体温データが繰り返しシリアルで転送されている。このように、繰り返し同じデータを転送することにより、データの受信側（読み取り装置７２）では、転送データの初めから取り込む必要はなく、受信制御が容易となる。本実施の形態では、前述のように、電子体温計５２にデータ転送部を２ヶ所設け、図４に示すように、転送ビットＢを転送ビットＡよりも１／２周期だけ遅らせている。このことにより、読み取り装置７２では、これら２つの信号を１／２周期だけ受信すれば、元の体温データにデコードできる。また、これに対応して読み取り装置７２側にデータ受信部が２ヶ所設けられている（図６参照）。
【００３１】
また、温度データのデータ転送時間（１／２周期）は、データの転送周波数（転送速度）や、読み取り装置７２側での、ドット５６、５８の点滅の読み取り能力（データサンプリング周期等）によっても決まるが、データの転送周波数に直接関係してくるドット点滅の最大周波数（点滅速度）に依存するところは大きい。本実施の形態では、ドット点滅の最大周波数（点滅速度）は、図４にみるように、１ビットを転送するのに最大２回点滅する必要があることから、データ転送周波数（データ転送速度）の２倍となっている。
【００３２】
ドット点滅の最大周波数（点滅速度）は、液晶表示器２８の応答性に依存するが、この応答性は、液晶表示部２８の温度、すなわち、電子体温計５２の周囲の環境の温度が低いほど悪くなる。このため、ドット点滅の最大周波数（点滅速度）は、環境温度が低い程、小さく設定する必要がある。従来では、ドット点滅の最大周波数（点滅速度）を低温（例えば１０℃）での値に固定して設定されている（以後、従来例という）が、本実施の形態では、２０℃の環境温度を境として、ドット点滅の最大周波数（点滅速度）を変化させて設定している。
【００３３】
すなわち、本実施の形態では、通常の電子体温計が用いられる環境温度の下限を１０℃とし、１０℃でのドット点滅の最大周波数（点滅速度）を８Hz、２０℃でのドット点滅の最大周波数（点滅速度）を、１６Hzとしている。そして、１０℃から２０℃の環境温度で、ドット点滅の最大周波数（点滅速度）を８Hzとしている。２０℃以上の環境温度でのドット点滅の最大周波数（点滅速度）を１６Hzとしている。
【００３４】
このことにより、温度データの転送周波数（転送速度）は、１０℃から２０℃の環境温度では４Hz（４ビット／秒）、２０℃以上の環境温度では８Hz（８ビット／秒）と設定され、２０℃以上の環境温度では、１０℃から２０℃の環境温度の場合の２倍の転送周波数（転送速度）を備えることとなる。
【００３５】
前述のドット点滅の最大周波数（点滅速度）と環境温度との対応は、現在使用できる液晶表示器２８の応答性から得られる妥当な速度であるが、本件発明は、これに限定されるものではない。
【００３６】
代表的な実施例としては図４を参照して、３２℃〜４２℃の範囲の測定された温度データを０．１℃の分解能で転送する場合、データ転送量は８ビット必要となるが、２つのドット点滅の信号を１／２周期だけずらしている転送することで、転送周波数（転送速度）を４Hz（４ビット／秒）とした場合、全データを転送できる転送時間（１／２周期）は、１秒となる。一方、転送周波数（転送速度）を８Hz（８ビット／秒）とした場合には、０．５秒となる。
【００３７】
このため、通常２０℃以上の室温である病院内や腋下測定（体温計自体が計測直後２０℃以上）の環境では、転送時間は、２０℃以上でも点滅速度を変化させない従来例（１秒）の半分（０．５秒）となっている。実際の体温値のデータ収集には、各種信号処理等（光信号の読み込みエラー時の再度の読み込み等）が必要なことから、通常、データの取り込みには１／２周期の転送時間だけでは不十分であり、従来例では、２〜３秒を要するが、本件発明では、１秒程度を要する。こうして、本件発明は、従来例に比べて、より瞬時のデータの取り込みを可能としている。
【００３８】
図５は本実施の形態の電子体温計の液晶表示器２８のドット５６及び５８の点滅を読み取る読み取り装置７２の例を示す概観図である。
【００３９】
図５において、７２は前述した電子体温計５２の液晶表示器２８のドット５６及び５８の点滅表示に基づいて、その電子体温計５２より転送される温度データを読み取る読み取り装置である。７４は体温計挿入口で、この部分に電子体温計５２が所定方向に挿入される。７８は透明パネルスイッチ付き表示器で、この表示器７８には、読み取った温度値が表示されるとともに、この表示パネルスイッチを使用して、体温計挿入口７４の挿入口に対応した患者名や、測定時間等を識別できるようにするため選択入力することができる。７６はインターフェースユニットで、読み取った温度データをパソコン等に送信するために外部とのインターフェース用ユニットが設けられている。
【００４０】
図６は、本実施の形態の読み取り装置７２の体温計挿入口７４に挿入された体温計５２の状態を示す図である。尚、図６において、６６はＡ−Ａ’面の断面形状を示している。
【００４１】
電子体温計５２の液晶表示器２８のドットの点滅を読み取るための構成としては、ＬＥＤ，ＬＣＤ等の発光部６１と、液晶表示器２８のドット５６（又は５８）よりの反射光を検出するためのフォトダイオード６２とを有している。図６において、６４は、例えばドット５６よりの反射光を検出して、その点滅を検出するためのドット読み取り部、６３はドット５８よりの反射光を検出して、そのドット５８の点滅を検出するためのドット読み取り部である。尚、図６には特に図示していないが、挿入口７４に挿入された電子体温計の位置を規定するための位置規定部材が、この挿入口７４の内部に設けられていても良い。
【００４２】
図７は、こうして読み取り装置７２により読み取られ、その読み取った体温データを患者別に出力した例を示す図である。尚、これ以外にも、グラフ等で出力することも可能である。
【００４３】
図８は、本実施の形態の電子体温計５２における測温処理を示すフローチャートで、この処理を実行する制御プログラムは演算用ＲＯＭ１４に記憶されている。
【００４４】
この処理は、温度センサ２６よりの信号に基づいて測定された温度値がＲＡＭ１６に記憶されている状態で、電子体温計挿入口７４に挿入されたことがセンサ１０２（図９参照）により検知されることにより開始され、まずステップＳ１１で、そのＲＡＭ１６より温度データが読み出される。次にステップＳ１２に進み、その温度データに基づいて、前述したように例えば“３２．０℃”を基準として、“０．１℃”の分解能で、その温度データを表す。そして、ＲＡＭ１６に記憶されている温度データとの差分を求め、その差分値を１バイトのデータで表す。
【００４５】
ステップＳ１４では、電子体温計５２の置かれている環境の温度が、計測される。この環境温度は、電子体温計５２が測定部位から取り外された後、電子体温計５２の温度センサ２６で計測される。ステップＳ１５では、ステップＳ１４で計測した環境温度が２０℃以上の場合には、点滅速度を高速（本実施例では１６Hz）に決定し、２０℃より低い場合には、点滅速度を低速（本実施例では８Hz）に決定する。
【００４６】
次にステップＳ１６に進み、液晶表示器２８のドット５６をステップＳ１５で決定した点滅速度に従って点滅させて、図４に示す様なタイミングで、ステップＳ１３で決定された１バイトデータを送出（転送）する。ステップＳ１７では、ドット５６の点滅よりも１／２周期ずらして、同じデータをドット５８を点滅させて送信（転送）する。こうしてステップＳ１８に進み、電子体温計５２が体温計挿入口７４から抜き取られるか、或は転送処理の終了が指示されることにより終了する。この終了指示がないときはステップＳ１４に戻り、前述の処理を実行する。
【００４７】
図９は、本実施の形態の読み取り装置７２の構成を示すブロック図で、前述の図面と共通する部分は同じ番号で示している。
【００４８】
１０１は読み取り装置７２全体の処理を制御する制御部、１０２は体温計挿入口７４に体温計が挿入されたことを検知する。１０３はＲＡＭで、電子体温計５２の液晶表示器２８のドットの点滅により送信されるシリアルデータに基づく温度データを、その患者名及び時間とともに記憶している。発光部６１により液晶表示器２８のドット５６又は５８を照射し、その反射光をフォトダイオード６２により読み取る。これにより、ドット５６又は５８の点滅を読み取ることができる。こうしてドット５６（５８）の点滅を利用して電子体温計５２より送信される光信号を受信して、電子体温計５２で測定された温度値を入力することができる。尚、ここでは発光部６１とフォトダイオード（受光部）６２とは１つしか示していないが、体温計挿入口７４の数に応じて複数設けられていることはもちろんである。
【００４９】
図１０は、この読み取り装置７２における電子体温計５２よりのデータ受信処理を示すフローチャートである。
【００５０】
まずステップＳ２１では、電子体温計５２の液晶表示器２８からの反射光を光信号として受信する。ステップＳ２２では、ドットの点滅速度を検出し、受信信号が高速転送（本実施例では８Hz）温度データ形式であるか否かを判断する。高速転送温度データ形式である判断した場合には、ステップＳ２３で温度データ（シリアルデータ）を復号（デコード）して温度値に変換する。
【００５１】
ステップＳ２２で、高速転送温度データ形式ではないと判断された信号の中で、温度データ形式の点滅信号と判断されなかった場合（温度測定が行われていない場合等）には、ステップＳ２１に戻り、ループを繰り返す。一方、高速転送温度データ形式ではないと判断された信号の中で、温度データ形式の点滅信号と判断された信号は、低速転送（本実施例では４Hz）温度データの可能性があるとして、更に、ステップＳ２4で液晶表示器２８からの反射光を継続して受信する。すなわち、この場合は、高速転送温度データ形式と判断される場合より、光信号の受信時間は長く設定される（点滅信号読み取り時間を長く設定される）。ステップＳ２５では、受信した点滅信号が低速転送温度データ形式であるかどうかを判断し、低速転送温度データ形式であると判断した場合には、ステップＳ２６で、温度データを復号（デコード）して、体温値に変換する。一方、ステップＳ２５で、受信した点滅信号が低速転送温度データ形式ではないと判断した場合（点滅信号が、取り込みに失敗して温度値に変換できないデータである場合等）には、ステップＳ２１に戻り、ループを繰り返す。尚、温度データの取り込みの途中で点滅速度が変化する場合には、ステップＳ２５の判断で、低速転送温度データ形式ではないとしてステップＳ２１に戻り、再度、光信号を受信することで、点滅速度が変化した後の温度データを取り込み、その温度データより体温値が求められる。
【００５２】
ステップＳ２３もしくはステップＳ２６からは、ステップＳ２７に進み、体温計挿入口７４に挿入された体温計と、その体温計により測定された患者名とを対応付ける。そして患者名と、その測定時間とに対応付けて、ステップＳ２８で求めた体温値を記憶する。
【００５３】
ステップＳ２９では、こうしてＲＡＭ１０３に記憶した体温値と患者名との出力指示が入力されたかどうかを調べ、入力されたときはステップＳ３０に進み、外部インターフェース７６を介して、接続されている例えばパソコン等の情報処理機器にそのデータを出力する。こうして、その情報処理機器により印刷された結果を図７に示す。
【００５４】
尚、本実施の形態では、点滅速度が温度データの取り込みの途中で変化する場合には、前述の通り、ステップＳ２１で、低速転送温度データではないと判断して、点滅速度が変化した後の温度データを取り込むこととなっているが、ステップＳ２２とステップＳ２５の前に点滅速度が変化する時点の認識手段を設け、点滅速度が変化する場合には、その変化する時点以後の点滅のデータのみ有効して、ステップＳ２２とステップＳ２５に取り込むこともできる。更に、同様の点滅速度が変化する時点の認識手段を設けて、点滅速度が変化する前後のデータのそれぞれを利用して復号（デコード）すれば、更に、短時間で体温値を求めることができる。
【００５５】
また、本実施の形態では、環境温度に対して、１つの閾値（２０℃）によって、ドットの点滅速度を高速と低速の２段階に切り替えているが、複数の閾値を設けて、複数段階の切り替えを行うことで、より環境温度に適した転送速度を実現することもできる。更に、本実施の形態では、体温データの転送に、２つのドットの点滅信号を用いているが、３つ以上のドットの点滅信号を用いることで、より高速に体温データを転送することもできる。
【００５６】
以上説明したように本実施の形態によれば、電子体温計で測定した体温データを転送する液晶表示器の一部（ドット）の点滅速度を環境温度によつて変化させることで、環境温度に適した転送速度で体温データを出力（転送）し、また、読み取り装置側でも、その転送速度の応じて体温データを読み取ることができ、短時間で、体温値のデータの収集を行うことができる。
【００５７】
尚、本実施の形態においては、電子体温計について説明したが、電子血圧計、脈拍計等の生体情報測定装置より得られた血圧値、脈拍値等の生体情報を、実施例の体温計と同様に、その生体情報測定装置から、この表示読み取り装置に転送することができる。また、この表示読み取り装置を、生体情報測定装置と一体に構成しても良く、或は、生体情報測定装置に表示されている生体情報を全て読み取るか、或は選択的に読み取るように構成することもできる。
【００５８】
【発明の効果】
以上説明したように本発明によれば、電子体温計で測定した体温データを転送する液晶表示部の一部（ドット）の点滅速度を環境温度によつて変化させることで、環境温度に適した転送速度で体温データを出力（転送）し、また、読み取り装置側でも、その転送速度の応じて体温データを読みとることができ、短時間で多くの体温値のデータ収集を行うことができるという効果がある。
【００５９】
特に、室温が調整されている病院の室内（通常２０℃以上）や腋下の体温測定（通常、体温計自体２０℃以上となっている）では、高速での体温データの転送を可能とし、短時間で多くの体温値のデータ収集を行うことができるという効果がある。
【図面の簡単な説明】
【図１】本実施の形態の電子体温計の構成を示すブロック図である。
【図２】本実態の電子体温計の検温からデータの表示、転送処理までの制御と、データの流れを示すフローチャートである。
【図３】本実施の形態の電子体温計の概観図である。
【図４】電子体温計より転送する温度データの出力タイミング例を示すタイミングチャートである。
【図５】本実施の形態の読み取り装置の概観斜視図である。
【図６】本実施の形態の読み取り装置の体温計挿入口の構造を説明する図である。
【図７】本実施の形態の読み取り装置において体温データを患者に対応して出力した一例を示す図である。
【図８】本実施の形態の電子体温計における測温データの送出処理を示すフローチャートである。
【図９】本実施の形態の読み取り装置の構成を示すブロック図である。
【図１０】本実施の形態の読み取り装置における処理を示すフローチャートである。
【符号の説明】
１６，１０３…ＲＡＭ
１８…ＣＰＵ
２６…温度センサ
５２…電子体温計
５４…液晶表示器
５６…転送データＡ送信用ビット
５８…転送データＢ送信用ビット
７２…読み取り装置
７４…体温計挿入口
７６…外部インターフェース部
７８…透明パネルスイッチ付き表示器
【図１】
0004492894.tif 000002
【図２】
0004492894.tif 000003
【図３】
0004492894.tif 000004
【図４】
0004492894.tif 000005
【図５】
0004492894.tif 000006
【図６】
0004492894.tif 000007
【図７】
0004492894.tif 000008
【図８】
0004492894.tif 000009
【図９】
0004492894.tif 000010
【図１０】
0004492894.tif 000011